(57)【特許請求の範囲】
【請求項１】
インターネット・グループ・マネジメント・プロトコル（ＩＧＭＰ）非準拠の移動局に対してマルチキャストブロードキャストサービス（ＭＢＳ）を提供する方法であって、
ＭＢＳサーバにおいて、要求対象のブロードキャストチャネルを示すマルチキャストセッション参加要求を、前記移動局から、受け取ることと、
前記要求対象のブロードキャストチャネルが現在、前記移動局のアクセスサービスネットワーク（ＡＳＮ）内で提供されている場合に、プロキシＩＧＭＰクライアントにおいて、現在移動局にサービスを提供している基地局のための、前記要求対象のブロードキャストチャネルに対するＭＢＳサービスの構築をトリガすることと
を含み、
前記ＭＢＳサーバが前記移動局の代わりに前記プロキシＩＧＭＰクライアントを動作させると、前記移動局はＩＧＭＰネットワークからＭＢＳを受け取ることが出来る方法。
【請求項２】
前記要求対象のブロードキャストチャネルが現在、前記ＡＳＮ内で提供されていない場合に、前記プロキシＩＧＭＰクライアントから第１ホップのＩＧＭＰルータに対して、前記要求対象のブロードキャストチャネルのマルチキャストＩＰアドレスを示すＩＧＭＰ参加メッセージを送ることと、
前記要求対象のブロードキャストチャネルが現在、前記ＡＳＮ内で提供されている場合に、前記プロキシＩＧＭＰクライアントにおいて、前記ＩＧＭＰ参加メッセージを送らずに、現在移動局にサービスを提供している基地局のための、前記要求対象のブロードキャストチャネルに対するＭＢＳサービスの構築をトリガすることと
をさらに含む請求項１に記載の方法。
【請求項３】
前記要求対象のブロードキャストチャネルが現在、前記ＡＳＮ内で提供されていない場合、および、前記第１ホップのＩＧＭＰルータが現在、前記要求対象のブロードキャストチャネルを提供していない場合、前記第１ホップのＩＧＭＰルータは、前記ＩＧＭＰ参加メッセージを上流方向に、１以上のほかのＩＧＭＰルータ、または、コンテンツソースに転送して、前記要求対象のブロードキャストチャネルを含むコンテンツを要求する請求項２に記載の方法。
【請求項４】
前記要求対象のブロードキャストチャネルが現在、前記ＡＳＮ内で提供されている場合、現行のマルチキャスト接続識別子（ＣＩＤ）が現在使用されて、前記要求対象のブロードキャストチャネルを、前記ＡＳＮがサービスを提供している１以上の基地局に提供し、
前記要求対象のブロードキャストチャネルに対する前記ＭＢＳサービスの構築をトリガすることは、前記移動局にサービスを現在提供している基地局に対して無線リソース要求を発行するように前記ＡＳＮに命令して、前記現行のマルチキャストＣＩＤを用いて前記移動局に前記要求対象のブロードキャストチャネルを提供することを含む請求項１から３のいずれか１項に記載の方法。
【請求項５】
前記要求対象のブロードキャストチャネルが現在、前記ＡＳＮ内で提供されていない場合、新規のマルチキャストＣＩＤを構築することと、前記移動局にサービスを現在提供している基地局に対して無線リソース要求を発行して、前記新規のマルチキャストＣＩＤを用いて前記移動局に前記要求対象のブロードキャストチャネルを提供することとを前記ＡＳＮに命令する請求項４に記載の方法。
【請求項６】
前記移動局からの前記マルチキャストセッション参加要求に応じて、認証／認可／課金サーバに、前記移動局の識別情報と前記要求対象のブロードキャストチャネルとを示すアクセス要求メッセージを送ること
を含む請求項５に記載の方法。
【請求項７】
アクセス受諾は、前記要求対象のブロードキャストチャネルと前記移動局とに対応付けられているサービス品質パラメータ（ＱｏＳパラメータ）を含み、
前記方法は、
新規のサービスフローを構築するべく前記ＭＢＳサーバから前記ＡＳＮに転送されるアクセス受諾メッセージの一部として、前記ＱｏＳパラメータを前記ＡＳＮに提供すること
をさらに含む請求項６に記載の方法。
【請求項８】
前記ＡＳＮは、鍵交換処理を実行して、１以上の暗号鍵を構築して、前記移動局が、前記新規のマルチキャストＣＩＤまたは前記現行のマルチキャストＣＩＤを用いて、前記要求対象のブロードキャストチャネルをセキュアに受け取ることができるようにする請求項５から７のいずれか１項に記載の方法。
【請求項９】
前記移動局から前記マルチキャストセッション参加要求を受け取る前に、接続識別子（ＣＩＤ）が、前記ＡＳＮ内の基地局と、前記移動局との間で構築され、
前記ＣＩＤが構築されると、セットアップフェーズまたはサインオンフェーズにおいて、前記ＭＢＳサーバの統一資源識別子またはＩＰアドレスが前記移動局に提供される請求項１から８のいずれか１項に記載の方法。
【請求項１０】
前記移動局は、アプリケーション層プロトコルを用いて、現在利用可能なマルチキャストセッションのディレクトリを閲覧し、
前記ディレクトリは、前記ＭＢＳサーバによって提供されている請求項１から９のいずれか１項に記載の方法。
【請求項１１】
前記移動局は、セッション記述プロトコルプリミティブを用いて、前記ＭＢＳサーバに接続して現在利用可能なマルチキャストセッションのディレクトリのコンテンツを閲覧し、
前記ディレクトリは、前記ＭＢＳサーバによって提供されている請求項１から１０のいずれか１項に記載の方法。
【請求項１２】
前記移動局が第１のＡＳＮ内の第１の基地局から第２のＡＳＮ内の第２の基地局へとハンドオーバーされる場合、
前記移動局が現在受け取っている前記ブロードキャストチャネルに対するデータ経路を、前記第１のＡＳＮから前記第２のＡＳＮへと、トンネリングを用いて一時的に延長して、前記第１のＡＳＮ内で用いられていたものと同一のマルチキャスト接続識別子（ＣＩＤ）を用いて、前記第２のＡＳＮ内の前記第２の基地局から前記ブロードキャストチャネルを前記移動局が受け取ることができるようにすること
をさらに含み、
前記データ経路は、前記第２のＡＳＮが前記ブロードキャストチャネルを提供していない場合に、一時的に延長される請求項１から１１のいずれか１項に記載の方法。
【請求項１３】
前記第２のＡＳＮが現在、前記ブロードキャストチャネルを提供している場合、前記データ経路を一時的に延長しないことと、
前記第２のＡＳＮが前記ブロードキャストチャネルに対して現在利用しているマルチキャストＣＩＤにおいて、前記移動局に前記ブロードキャストチャネルを提供することと
をさらに含む、請求項１２に記載の方法。
【請求項１４】
前記データ経路を一時的に延長した後、前記ブロードキャストチャネルのマルチキャストＩＰアドレスを含む再配置応答メッセージを、前記第１のＡＳＮから前記第２のＡＳＮに送ること
をさらに含み、
前記再配置応答メッセージに応じて、前記第２のＡＳＮは、前記マルチキャストＩＰアドレスを示すＩＧＭＰ参加メッセージを前記ＭＢＳサーバに送って、前記第２のＡＳＮが、前記ＭＢＳサーバから前記ブロードキャストチャネルを受け取ることができるようにすると共に前記ブロードキャストチャネルを前記移動局に提供できるようにして、
前記第２のＡＳＮは、前記移動局に対して前記ブロードキャストチャネルを提供するべく新規のマルチキャストＣＩＤを作成して、前記一時的に延長されたデータ経路を終了させる請求項１２に記載の方法。
【請求項１５】
前記移動局の電源がオフになる場合、前記移動局が前記マルチキャストセッションの終了を要求する場合、または、前記移動局が別のマルチキャストセッションに参加することを要求する場合、前記移動局から通知を受け取ること
をさらに含む、請求項１から１４のいずれか１項に記載の方法。
【請求項１６】
前記移動局は、ＩＧＭＰ非準拠の移動局であって、ＭＢＳセッションに参加するのにネットワーク層プロトコルを用いず、
前記アクセスサービスネットワークはブロードバンドワイヤレスアクセスネットワークであって、前記移動局はＢＷＡ移動局を含む請求項１から１５のいずれか１項に記載の方法。
【請求項１７】
インターネットグループマネジメントプロトコル（ＩＧＭＰ）非準拠の移動局に対してマルチキャストブロードキャストサービス（ＭＢＳ）を提供するマルチキャストブロードキャストサーバと、
前記移動局の代わりに動作して、前記移動局がＩＧＭＰネットワークからＭＢＳを受け取ることができるようにする、プロキシＩＧＭＰクライアントと
を備え、
前記プロキシＩＧＭＰクライアントは、要求対象のブロードキャストチャネルが現在、前記移動局のアクセスサービスネットワーク（ＡＳＮ）内で提供されている場合に、現在移動局にサービスを提供している基地局のための、要求対象のブロードキャストチャネルに対するＭＢＳサービスの構築をトリガする
ブロードバンドワイヤレスアクセスネットワーク。
【請求項１８】
前記マルチキャストブロードキャストサーバは、前記移動局から、要求対象のブロードキャストチャネルのマルチキャストインターネットプロトコル（ＩＰ）アドレスを示す、マルチキャストセッション参加要求を受け取り、
前記要求対象のブロードキャストチャネルが現在、前記ＡＳＮ内で提供されていない場合、前記プロキシＩＧＭＰクライアントは、前記要求対象のブロードキャストチャネルのマルチキャストＩＰアドレスを示すＩＧＭＰ参加メッセージを第１ホップのＩＧＭＰルータに送り、
前記要求対象のブロードキャストチャネルが現在、前記ＡＳＮ内で提供されている場合、前記プロキシＩＧＭＰクライアントは、前記ＩＧＭＰ参加メッセージを送らずに、現在移動局にサービスを提供している基地局のための、前記要求対象のブロードキャストチャネルに対するＭＢＳサービスの構築をトリガする請求項１７に記載のネットワーク。
【請求項１９】
前記要求対象のブロードキャストチャネルが現在、前記ＡＳＮ内で提供されていない場合、および、前記第１ホップのＩＧＭＰルータが現在、前記要求対象のブロードキャストチャネルを提供していない場合、前記第１ホップのＩＧＭＰルータは、前記ＩＧＭＰ参加メッセージを上流方向に、１以上のほかのＩＧＭＰルータ、または、コンテンツソースに転送して、前記要求対象のブロードキャストチャネルを含むコンテンツを要求する請求項１８に記載のネットワーク。
【請求項２０】
前記要求対象のブロードキャストチャネルが現在、前記ＡＳＮ内で提供されている場合、現行のマルチキャスト接続識別子（ＣＩＤ）が現在使用されて、前記要求対象のブロードキャストチャネルを、前記ＡＳＮがサービスを提供している１以上の基地局に提供し、
前記プロキシＩＧＭＰクライアントは、前記移動局にサービスを現在提供している基地局に対して無線リソース要求を発行するように前記ＡＳＮに命令して、前記現行のマルチキャストＣＩＤを用いて前記移動局に前記要求対象のブロードキャストチャネルを提供することによって、前記要求対象のブロードキャストチャネルに対する前記ＭＢＳサービスの構築をトリガし、
前記要求対象のブロードキャストチャネルが現在、前記ＡＳＮ内で提供されていない場合、前記プロキシＩＧＭＰクライアントは、新規のマルチキャストＣＩＤを構築することと、前記移動局にサービスを現在提供している前記基地局に対して無線リソース要求を発行して、前記新規のマルチキャストＣＩＤを用いて前記移動局に前記要求対象のブロードキャストチャネルを提供することとを前記ＡＳＮに命令する請求項１８または１９に記載のネットワーク。
【請求項２１】
前記移動局が第１のＡＳＮ内の第１の基地局から第２のＡＳＮ内の第２の基地局へとハンドオーバーされる場合、前記プロキシＩＧＭＰクライアントは、前記移動局が現在受け取っている前記ブロードキャストチャネルに対するデータ経路を、前記第１のＡＳＮから前記第２のＡＳＮへと、トンネリングを用いて一時的に延長して、前記第１のＡＳＮ内で用いられていたものと同一のマルチキャスト接続識別子（ＣＩＤ）を用いて、前記第２のＡＳＮ内の前記第２の基地局から前記ブロードキャストチャネルを前記移動局が受け取ることができるようにして、
前記データ経路は、前記第２のＡＳＮが前記ブロードキャストチャネルを提供していない場合に、一時的に延長され、
前記プロキシＩＧＭＰクライアントは、前記第２のＡＳＮが現在、前記ブロードキャストチャネルを提供している場合、前記データ経路を一時的に延長せず、前記マルチキャストブロードキャストサーバは、前記第２のＡＳＮが前記ブロードキャストチャネルに対して現在利用しているマルチキャストＣＩＤにおいて、前記移動局に前記ブロードキャストチャネルを提供する請求項１８から２０のいずれか１項に記載のネットワーク。
【請求項２２】
前記データ経路を一時的に延長した後、前記マルチキャストブロードキャストサーバは、前記ブロードキャストチャネルの前記マルチキャストＩＰアドレスを含む再配置応答メッセージを、前記第１のＡＳＮから前記第２のＡＳＮに送り、
前記再配置応答メッセージに応じて、前記第２のＡＳＮは、前記マルチキャストＩＰアドレスを示すＩＧＭＰ参加メッセージを前記マルチキャストブロードキャストサーバに送って、前記第２のＡＳＮが、前記マルチキャストブロードキャストサーバから前記ブロードキャストチャネルを受け取ることができるようにすると共に前記ブロードキャストチャネルを前記移動局に提供できるようにして、
前記第２のＡＳＮは、前記移動局に対して前記ブロードキャストチャネルを提供するべく新規のマルチキャストＣＩＤを作成して、前記一時的に延長されたデータ経路を終了させる請求項２１に記載のネットワーク。
【請求項２３】
前記プロキシＩＧＭＰクライアントは、前記マルチキャストブロードキャストサーバとは別個のＡＳＮに存在している請求項１７から２２のいずれか１項に記載のネットワーク。
【請求項２４】
インターネットグループマネジメントプロトコル（ＩＧＭＰ）非準拠の移動局の代わりに動作して、前記移動局がＩＧＭＰネットワークからマルチキャストブロードキャストサービス（ＭＢＳ）を受け取ることが出来るようにするプロキシＩＧＭＰクライアントであって、要求対象のブロードキャストチャネルが現在、前記移動局のアクセスサービスネットワーク（ＡＳＮ）内で提供されている場合に、現在移動局にサービスを提供している基地局のための、前記要求対象のブロードキャストチャネルに対するＭＢＳサービスの構築をトリガするプロキシＩＧＭＰクライアント。
【請求項２５】
マルチキャストブロードキャストサーバは、前記移動局から、要求対象のブロードキャストチャネルのマルチキャストインターネットプロトコル（ＩＰ）アドレスを示す、マルチキャストセッション参加要求を受け取り、
前記要求対象のブロードキャストチャネルが現在、前記ＡＳＮ内で提供されていない場合、前記プロキシＩＧＭＰクライアントは、前記要求対象のブロードキャストチャネルのマルチキャストＩＰアドレスを示すＩＧＭＰ参加メッセージを第１ホップのＩＧＭＰルータに送り、
前記要求対象のブロードキャストチャネルが現在、前記ＡＳＮ内で提供されている場合、前記プロキシＩＧＭＰクライアントは、前記ＩＧＭＰ参加メッセージを送らずに、現在移動局にサービスを提供している基地局のための、前記要求対象のブロードキャストチャネルに対するＭＢＳサービスの構築をトリガする請求項２４に記載のプロキシＩＧＭＰクライアント。
【請求項２６】
前記要求対象のブロードキャストチャネルが現在、前記ＡＳＮ内で提供されていない場合、および、前記第１ホップのＩＧＭＰルータが現在、前記要求対象のブロードキャストチャネルを提供していない場合、前記第１ホップのＩＧＭＰルータは、前記ＩＧＭＰ参加メッセージを上流方向に、１以上のほかのＩＧＭＰルータ、または、コンテンツソースに転送して、前記要求対象のブロードキャストチャネルを含むコンテンツを要求する請求項２５に記載のプロキシＩＧＭＰクライアント。
【請求項２７】
前記要求対象のブロードキャストチャネルは現在、前記ＡＳＮ内で提供されている場合、現行のマルチキャスト接続識別子（ＣＩＤ）が現在使用されて、前記要求対象のブロードキャストチャネルを、前記ＡＳＮがサービスを提供している１以上の基地局に提供し、
前記プロキシＩＧＭＰクライアントは、前記移動局にサービスを現在提供している基地局に対して無線リソース要求を発行するように前記ＡＳＮに命令して、前記現行のマルチキャストＣＩＤを用いて前記移動局に前記要求対象のブロードキャストチャネルを提供することによって、前記要求対象のブロードキャストチャネルに対する前記ＭＢＳサービスの構築をトリガし、
前記要求対象のブロードキャストチャネルが現在、前記ＡＳＮ内で提供されていない場合、前記プロキシＩＧＭＰクライアントは、新規のマルチキャストＣＩＤを構築することと、前記移動局にサービスを現在提供している前記基地局に対して無線リソース要求を発行して、前記新規のマルチキャストＣＩＤを用いて前記移動局に前記要求対象のブロードキャストチャネルを提供することとを前記ＡＳＮに命令する請求項２５または２６に記載のプロキシＩＧＭＰクライアント。
【請求項２８】
前記移動局が第１のＡＳＮ内の第１の基地局から第２のＡＳＮ内の第２の基地局へとハンドオーバーされる場合、前記プロキシＩＧＭＰクライアントは、前記移動局が現在受け取っている前記ブロードキャストチャネルに対するデータ経路を、前記第１のＡＳＮから前記第２のＡＳＮへと、トンネリングを用いて一時的に延長して、前記第１のＡＳＮ内で用いられていたものと同一のマルチキャスト接続識別子（ＣＩＤ）を用いて、前記第２のＡＳＮ内の前記第２の基地局から前記ブロードキャストチャネルを前記移動局が受け取ることができるようにして、
前記データ経路は、前記第２のＡＳＮが前記ブロードキャストチャネルを提供していない場合に、一時的に延長され、
前記プロキシＩＧＭＰクライアントは、前記第２のＡＳＮが現在、前記ブロードキャストチャネルを提供している場合、前記データ経路を一時的に延長せず、前記マルチキャストブロードキャストサーバは、前記第２のＡＳＮが前記ブロードキャストチャネルに対して現在利用しているマルチキャストＣＩＤにおいて、前記移動局に前記ブロードキャストチャネルを提供する請求項２５から２７のいずれか１項に記載のプロキシＩＧＭＰクライアント。
【請求項２９】
前記データ経路を一時的に延長した後、前記マルチキャストブロードキャストサーバは、前記ブロードキャストチャネルの前記マルチキャストＩＰアドレスを含む再配置応答メッセージを、前記第１のＡＳＮから前記第２のＡＳＮに送り、
前記再配置応答メッセージに応じて、前記第２のＡＳＮは、前記マルチキャストＩＰアドレスを示すＩＧＭＰ参加メッセージを前記マルチキャストブロードキャストサーバに送って、前記第２のＡＳＮが、前記マルチキャストブロードキャストサーバから前記ブロードキャストチャネルを受け取ることができるようにすると共に前記ブロードキャストチャネルを前記移動局に提供できるようにして、
前記第２のＡＳＮは、前記移動局に対して前記ブロードキャストチャネルを提供するべく新規のマルチキャストＣＩＤを作成して、前記一時的に延長されたデータ経路を終了させる請求項２８に記載のプロキシＩＧＭＰクライアント。
【発明の詳細な説明】
【技術分野】
【０００１】
本発明は、ワイヤレス通信に関する。一部の実施形態は、ワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：ＷｉＭａｘ）ネットワーク等の、ブロードバンドワイヤレスアクセス（ＢＷＡ）ネットワークに関する。一部の実施形態は、ワイヤレスアクセスネットワークにおけるマルチキャストブロードキャストデータの送信に関する。一部の実施形態は、インターネットプロトコル（ＩＰ）マルチキャスティング及びインターネット／グループ／マネジメント・プロトコル（Ｉｎｔｅｒｎｅｔ  Ｇｒｏｕｐ  Ｍａｎｇｅｍｅｎｔ  Ｐｒｏｔｃｏｌ：ＩＧＭＰ）に関する。
【背景技術】
【０００２】
多くのネットワークにおいて、ブロードキャストコンテンツは、ＩＧＭＰを用いてＩＰマルチキャストされ得る。ブロードキャストコンテンツを受信するためには、加入デバイスは通常、ＩＧＭＰに準拠している必要がある。これは、有線ネットワーク上で動作する多くのパーソナルコンピュータおよびポータブルコンピュータにとっては、通常ＩＧＭＰに準拠しているので、問題ではない。多くのワイヤレスネットワークにおいては、ワイヤレスハンドセットおよびワイヤレス端子、例えばＷｉＭａｘ端子は通常、コスト、複雑さ、および／または、処理要件が高くなるので、ＩＧＭＰに準拠していない。このため、多くのワイヤレスデバイスは、ＩＧＭＰネットワークからマルチキャストブロードキャストコンテンツを受信できない。
【０００３】
このため、ＩＧＭＰ非準拠ワイヤレスデバイスにＩＧＭＰネットワークからＩＰベースのマルチキャストブロードキャストサービスを受信できるようにさせる方法が広く求められている。
【図面の簡単な説明】
【０００４】
【図１】本発明の一部の実施形態に係るワイヤレスアクセスネットワークを示す図である。
【図２】本発明の一部の実施形態に係る、移動局がマルチキャストセッションに参加する手順を示す図である。
【図３】本発明の一部の実施形態に係る、アクセスサービスネットワーク（ＡＳＮ）をアンカーポイントとするハンドオーバーを示す図である。
【図４】本発明の一部の実施形態に係る、コアサービスネットワーク（ＣＳＮ）をアンカーポイントとするハンドオーバーを示す図である。
【図５】本発明の一部の実施形態に係る、ＣＳＮをアンカーポイントとするハンドオーバーの手順を示す図である。
【発明を実施するための形態】
【０００５】
以下に記載する説明および図面は、本発明の具体的な実施形態を十分に説明しているので、当業者は本発明の具体的な実施形態を実施することができる。その他の実施形態は、構造、論理、電気、処理、およびその他の点において変更を含むとしてよい。例は、実施可能な変形を類型化したものに過ぎない。個々の構成要素および機能は、必要であることが明記されていなければ、任意であり、動作の順序は変更し得る。いくつかの実施形態の一部および特徴は、他の実施形態の一部および特徴に含まれるとしてもよいし、置き換えられるとしてもよい。請求項に記載する本発明の実施形態は、請求項の均等物を全て網羅する。本発明の実施形態は、本明細書において、個別または集合的に、「発明」という用語を用いて表すが、これは単に便宜上のことであって、複数の発明または発明的思想が開示されている場合、本願の範囲をいずれの１つの発明または発明的思想に限定するものでもない。
【０００６】
図１は、本発明の一部の実施形態に係るワイヤレスネットワークを示す図である。ワイヤレスアクセスネットワーク１００は、ＣＳＮ１１１と、１以上のＡＳＮ１０６とを備える。まず、ワイヤレスアクセスネットワーク１００は、１以上のコンテンツサーバからコンテンツを受信するとしてよく、当該コンテンツを１以上の移動局（ＭＳ）１０２に提供するとしてよい。各ＡＳＮ１０６は、図中ではＡＳＮ−ＧＷ１およびＡＳＮ−ＧＷ２として示す、１以上のＡＳＮゲートウェイ（ＡＳＮ−ＧＷ）１２６と、複数の基地局（ＢＳ）１０４とを有するとしてよい。ＣＳＮ１１１は、認証／許可／課金（ＡＡＡ）サーバ１１５を有するとしてよく、ＡＡＡサーバ１１５はまず、より詳細に後述するが、アクセス要求を処理するとしてよい。一部の実施形態によると、ＣＳＮ１１１のＡＡＡサーバ１１５は、移動局１０２に対してマルチキャストブロードキャストサービスの受信を認可するポリシー機能（ＰＦ）を含むとしてよい。
【０００７】
実施形態によると、ＡＳＮ−ＧＷ１２６の一部は、マルチキャストブロードキャストサービスコントローラ（ＭＢＳＣ）１２８を含むとしてよい。各ＭＢＳＣ１２８は、１以上の基地局１０４を含み得るマルチキャストブロードキャストサービス（ＭＢＳ）ゾーンを１以上形成するとしてよい。一部の実施形態によると、ＭＢＳＣ１２８は、特定のＭＢＳゾーン内で移動局１０２に対する同時マルチキャストダウンリンク送信用の特定の時間および周波数のパラメータを構築することによって、複数のＭＢＳゾーンを形成するとしてよい。このような実施形態では、基地局１０４はＭＢＳエージェント（ＭＢＳＡ）１１４を含むとしてよい。ＭＢＳＡ１１４は、複数の基地局１０４に対して、ダウンリンクサブフレームのＭＢＳ領域内で、同期して同一のコンテンツを送信させるか、および／または、送信するよう命令する。同一のＭＢＳ領域は、マルチキャスト接続識別子（ＣＩＤ）によって識別されるマルチキャストブロードキャストコンテンツを含むとしてよい。
【０００８】
一部の実施形態によると、ワイヤレスネットワーク１００は、あるＭＢＳグループに含まれる各基地局１０４が、あるＭＢＳゾーンで同一の情報を送信する、単一周波数ネットワーク（ＳＦＮ）であってよい。このような実施形態によると、あるＭＢＳグループの基地局が送信するデータは、時間、周波数およびコンテンツについて、同期されているとしてよいが、本発明の範囲はこれに限定されない。このような実施形態によると、移動局がある基地局から別の基地局へと移動する場合、ハンドオーバーを実行する必要はない。ハンドオーバーについては、より詳細に後述する。
【０００９】
その他の一部の実施形態によると、ワイヤレスアクセスネットワーク１００は、ＳＦＮでないネットワークであってもよく、あるＭＢＳグループの複数の基地局が送信するデータは、時間および／または周波数および／またはコンテンツに関して同期していないとしてもよい。このような実施形態によると、移動局がある基地局から別の基地局へと移動する場合に、ハンドオーバーを実行する。ハンドオーバーについては、より詳細に後述する。一部の実施形態によると、ＡＳＮ１０６は、ワイヤレスアクセスネットワーク１００内で、ＳＦＮネットワークまたは非ＳＦＮネットワークのいずれとして動作してもよい。
【００１０】
本発明の一部の実施形態によると、ワイヤレスアクセスネットワーク１００は、ＭＢＳサーバ１０８と、プロキシＩＧＭＰクライアント１１０とを備えるとしてよい。このような実施形態によると、移動局、例えば移動局１０２は、ＩＧＭＰの恩恵を享受するのに、ＩＧＭＰに準拠している必要はないとしてよい。このような実施形態によると、プロキシＩＧＭＰクライアント１１０は、ＭＢＳサーバ１０８と組み合わせられることによって、移動局の代わりにプロキシとして動作し、非ＩＧＭＰ準拠移動局がＭＢＳサービスをＩＧＭＰネットワークから受け取ることができるようにする。このような実施形態によると、ＩＧＭＰ信号伝送に、無線リンクリソース（つまり、帯域幅）を追加する必要はなくなる。このような実施形態については、より詳細に後述する。
【００１１】
一部の実施形態によると、プロキシＩＧＭＰクライアント１１０は、図１に示すように、ＭＢＳサーバ１０８に存在しているとしてもよいが、本発明の範囲はこれに限定されない。一部の実施形態によると、プロキシＩＧＭＰクライアント１１０は、ネットワーク内のどこか他の場所に存在するとしてもよく、例えば、ＡＳＮ１０６のうち１つに存在するとしてもよい。一部の実施形態によると、第１のＡＳＮ−ＧＷ１２６は、ＣＳＮ１１１に対するＲ３インターフェースを有するとしてよく、各ＡＳＮ−ＧＷ１２６は、他のＡＳＮ−ＧＷ１２６に対するＲ４インターフェースを有するとしてよい。このような実施形態によると、第１のＡＳＮ−ＧＷ１２６はさらに、各基地局１０４に対するＲ６インターフェースを有するとしてよく、基地局１０４は移動局１０２に対するＲ１インターフェースを有するとしてよいが、本発明の範囲はこれに限定されない。
【００１２】
一部の実施形態によると、移動局１０２は、ポータブルワイヤレス通信デバイスを含むとしてよい。ポータブルワイヤレス通信デバイスの例を挙げると、ポータブル基地局、携帯情報端末（ＰＤＡ）、ワイヤレス通信機能を有するノート型コンピュータまたはポータブルコンピュータ、ウェブタブレット、ワイヤレス電話、ワイヤレスヘッドセット、インスタントメッセージングデバイス、デジタルカメラ、アクセスポイント、テレビ、医療機器（例えば、心拍数モニタ、血圧モニタ等）、または情報をワイヤレスに送受信するその他のデバイスがある。
【００１３】
一部の実施形態によると、ＡＳＮ１０６は、ＢＷＡネットワーク、例えば、ＷｉＭａｘネットワークの一部であってよい。このような実施形態によると、基地局１０４および移動局１０２は、例えば、直交周波数分割多重アクセス（ＯＦＤＭＡ）方式等の多重アクセス方法を用いて通信するとしてよいが、本発明の範囲はこれに限定されない。このような実施形態のうち一部の実施形態によると、移動局１０２はＷｉＭａｘ端末であってよい。
【００１４】
一部の実施形態によると、基地局１０４および移動局１０２は、例えば米国電気電子学会（ＩＥＥＥ）規格のような特定の通信規格に従って通信するとしてよい。ＩＥＥＥ規格の例を挙げると、ワイヤレスメトロポリタンエリアネットワーク（ＷＭＡＮ）およびその変形バージョンおよび進化バージョンに関するＩＥＥＥ８０２．１６−２００４規格および／またはＩＥＥＥ８０２．１６（ｅ）規格等があるが、本発明の範囲はこれに限定されない。移動局１０２および基地局１０４は同様に、他の技術および規格に従って通信を送受信するのに適しているとしてもよい。ＩＥＥＥ８０２．１６規格に関しては、「情報技術に関するＩＥＥＥ規格−システム間での電気通信および情報交換」−メトロポリタンエリアネットワーク−具体的要件−第１６部：「固定ブロードバンドワイヤレスアクセスシステム用の無線インターフェース」、２００５年５月、および、関連の修正／バージョンを参照されたい。
【００１５】
図２は、本発明の一部の実施形態に係る、移動局がマルチキャストセッションに参加する手順を示す図である。手順２００は、ワイヤレスアクセスネットワークのさまざまな要素によって実行され得るが、例えば、ワイヤレスアクセスネットワーク１００（図１）によって実行されて、ＩＧＭＰ非準拠の移動局、例えば移動局１０２に対して、ＩＰマルチキャストブロードキャスティングを用いて、要求対象のブロードキャストチャネルを提供する。
【００１６】
動作２０２において、ＣＩＤがＡＳＮ１０６内の基地局１０４と移動局１０２との間で構築され得る。動作２０２の一部として、ＣＩＤが構築されると、セットアップフェーズまたはサインオンフェーズにおいて、移動局１０２には、ＭＢＳサーバ１０８の統一資源識別子（ＵＲＩ）またはＩＰアドレスが供給される。しかし、本発明の範囲はこれに限定されない。
【００１７】
動作２０４において、ＩＧＭＰ非準拠の移動局、例えば移動局１０２から、マルチキャストセッション参加要求を、ＭＢＳサーバ１０８で受信し得る。当該要求は、ＭＳが参加を希望するマルチキャストブロードキャストチャネルを指し示すとしてよい。当該要求に応じて、動作２０６Ａから２０６Ｄとして図示されている、アクセス認可手順が実行されるとしてよい。当該手順については、より詳細に後述する。
【００１８】
このような実施形態によると、移動局１０２のＡＳＮ１０６内に要求対象のブロードキャストチャネルが現在供給されていない（つまり、マルチキャストされていない）場合、動作２０８が実行される。動作２０８によると、要求対象のブロードキャストチャネルのマルチキャストＩＰアドレスを示すＩＧＭＰ参加メッセージが、移動局１０２の代わりに、プロキシＩＧＭＰクライアント１１０から第１ホップのＩＧＭＰルータ１１２に送られる。
【００１９】
このような実施形態によると、要求対象のブロードキャストチャネルが、移動局１０２にサービスを提供しているＡＳＮ１０６内で現在提供されている場合、動作２０８は実行する必要がない。このような実施形態によると、プロキシＩＧＭＰクライアント１１０はＩＧＭＰ参加メッセージを送るのをやめて、移動局１０２に対するダウンリンクで、ＡＳＮ１０６において要求対象のブロードキャストチャネルに対するＭＢＳサービスの構築をＭＢＳサーバ１０８にトリガさせるとしてよい。このような実施形態によると、移動局１０２の代わりに動作しているプロキシＩＧＭＰクライアント１１０を用いることによって、ＭＢＳサーバ１０８は、移動局１０２にＩＧＭＰネットワークからのＭＢＳを受信させることができる。
【００２０】
要求対象のブロードキャストチャネルがＡＳＮ１０６内で現在提供されていない場合、および、第１ホップのＩＧＭＰルータ１１２が１以上のほかのＡＳＮに対して要求対象のブロードキャストチャネルを現在提供していない場合、第１ホップのＩＧＭＰルータ１１２は、上流に向かって１以上のほかのＩＧＭＰルータ（不図示）またはコンテンツソース（不図示）に対してＩＧＭＰ参加メッセージを転送して、要求対象のブロードキャストチャネルを含むコンテンツを要求する。このようにして、ＩＧＭＰ参加メッセージは、要求対象のコンテンツを現在提供しているＩＧＭＰルータ、または、コンテンツソースに到達する。
【００２１】
一部の実施形態によると、要求対象のブロードキャストチャネルがＡＳＮ１０６内で現在提供されている場合、現行のマルチキャストＣＩＤが、要求対象のブロードキャストチャネルを、ＡＳＮ１０６がサービスを提供している１以上の基地局、例えば基地局１０４に提供するべく、現在利用されているとしてよい。このような実施形態によると、動作２１０が実行されるとしてよい。動作２１０において、ＭＢＳサーバ１０８は、現在移動局１０２にサービスを提供している基地局１０４に対して動作２１２Ａ毎に無線リソース要求（ＲＲ−ＲＥＱ）を発行するようにＡＳＮ１０６に命令することによって、要求対象のブロードキャストチャネルについてＭＢＳサービスを構築するとしてよい。この結果、基地局１０４は、現行のマルチキャストＣＩＤを用いて、要求対象のブロードキャストチャネルを移動局１０２に提供することができるようになる。
【００２２】
図２に示すように、動作２１２ＡのＲＲ−ＲＥＱに応じて、基地局１０４は動作２１２Ｂにおいて、移動局１０２に動的サービス追加要求（ＤＳＡ−ＲＥＱ）メッセージを提供し、移動局１０２は動作２１２Ｃにおいて、ＤＳＡ応答（ＤＳＡ−ＲＳＰ）メッセージで応答し、基地局１０４は動作２１２Ｄにおいて、ＲＲ−ＲＳＰメッセージで応答するとしてよい。したがって、ダウンリンク帯域幅は、移動局１０２が要求対象のブロードキャストチャネルを受信できるように割り当てられるとしてよい。このような場合、移動局１０２は、現行のマルチキャストＣＩＤで、基地局１０４から、要求対象のブロードキャストチャネルを受信するとしてよい。
【００２３】
一部の実施形態によると、要求対象のブロードキャストチャネルが現在ＡＳＮ１０６内で提供されていない場合、動作２１０は、新しいマルチキャストＣＩＤを構築して、現在移動局１０２にサービスを提供している基地局１０４に対して動作２１２Ａ毎に無線リソース要求（ＲＲ−ＲＥＱ）を発行して、新しいマルチキャストＣＩＤに基づいて、移動局に対して、要求対象のブロードキャストチャネルを提供するように、ＡＳＮ１０６に命令することを含むとしてよい。このような実施形態によると、要求対象のブロードキャストチャネルは、動作２０８において送信されたＩＧＭＰ参加メッセージに応じて、第１ホップのＩＧＭＰルータ１１２から、動作２１６Ａにおいて、ＭＢＳサーバ１０８がＩＰマルチキャストアドレスにおいて受信するとしてよい。このような実施形態によると、ＭＢＳサーバ１０８は、要求対象のブロードキャストチャネルを含むコンテンツを、ＡＳＮ１０６にルーティングして、動作２１６ＢにおいてＩＰマルチキャストアドレスを用いて基地局１０４に受信させるとしてよい。そして、移動局１０２は、要求対象のブロードキャストチャネルについてＡＳＮ１０６が先に構築した新しいマルチキャストＣＩＤで、動作２１６において、要求対象のブロードキャストチャネルを基地局１０４から受信するとしてよい。
【００２４】
一部の実施形態によると、動作２０４で受信したＩＧＭＰ非準拠の移動局１０２からのマルチキャストセッション参加要求に応じて、動作２０６Ａから２０６Ｄが実行されるとしてよい。動作２０６Ａでは、アクセス要求（アクセス−ＲＥＱ）メッセージが、ＭＢＳサーバ１０８からＡＡＡサーバに送られるとしてよい。アクセス要求メッセージは、移動局１０２の識別情報を示すと共に要求対象のブロードキャストチャネルを示すとしてよい。当該アクセス要求に応じて、動作２０６ＤにおいてＡＡＡサーバからアクセス受諾メッセージを受け取るとしてよい。これに応じて、要求対象のブロードキャストチャネルについてＡＳＮ１０６内でＭＢＳサービスを構築するべく、ＩＧＭＰ参加メッセージが動作２０８において第１ホップのＩＧＭＰルータ１１２に送られるとしてよい。このような実施形態によると、ＭＢＳサーバ１０８は、承認を要求および受信して、要求対象のブロードキャストチャネルを移動局１０２に提供するとしてよい。図２に示すように、動作２０６Ａのアクセス要求は、ＭＳがビジタネットワークにおいてローミングモードである場合、ビジタポリシー機能および認証／認可／課金（Ｖ−ＰＦ／ＡＡＡ）サーバ１１４において最初に受信されるとしてよい。そしてこの要求は、動作２０６Ｂで示すように、Ｖ−ＰＦ／ＡＡＡサーバ１１４によって、Ｈ−ＰＦ／ＡＡＡサーバ１１６にルーティングされるとしてよい。動作２０６Ｃにおいて、Ｈ−ＰＦ／ＡＡＡサーバ１１６からＶ−ＰＦ／ＡＡＡサーバ１１４に、アクセス受諾メッセージが送られるとしてよく、当該メッセージはＶ−ＰＦ／ＡＡＡサーバ１１４からＭＢＳサーバ１０８に送られるとしてよい。
【００２５】
一部の実施形態によると、動作２０６Ｄで受信されるアクセス受諾は、要求対象のブロードキャストチャネルのコンテンツに対応付けられており、および／または、移動局１０２に対応付けられている、サービス品質（ＱｏＳ）パラメータを含むとしてよい。このような実施形態によると、ＱｏＳパラメータは、新しいＭＢＳサービスフローを構築するべく、動作２１０においてＭＢＳサーバ１０８からＡＳＮ１０６へ転送されるアクセス受諾メッセージの一部としてＡＳＮ１０６に提供されるとしてよい。このような実施形態のうち一部の実施形態によると、ＱｏＳパラメータおよび利用可能な特定のブロードキャストチャネルは、加入者（つまり、移動局１０２のユーザ）が対価を支払うサービスのレベルに依存するとしてよいが、本発明の範囲はこれに限定されない。
【００２６】
一部の実施形態によると、動作２１４Ａおよび２１４Ｂにおいて図示されているように、ＡＳＮ１０６は鍵交換処理を実行して、動作２１６Ｃにおいて、新規または現行のマルチキャストＣＩＤを用いて、要求対象のブロードキャストチャネルを移動局１０２がセキュアに受信および／または復号できるように１以上の暗号鍵を構築する。
【００２７】
一部の実施形態によると、動作２０４の一部として、移動局１０２はハイパーテキスト転送プロトコル（ＨＴＴＰ）のようなアプリケーション層プロトコルを用いて、現在利用可能なマルチキャストセッションのディレクトリを閲覧するとしてもよいが、本発明の範囲はこれに限定されない。一部の実施形態によると、該ディレクトリは、ＭＢＳサーバ１０８によって提供され、ＭＢＳサーバ１０８に格納されているとしてもよい。一部の実施形態によると、移動局１０２は所定のウェブサイトまたはポータルを用いて、現在利用可能なブロードキャストチャネルの一覧を見るとしてよい。ブロードキャストチャネルは、本明細書で言及する場合、ビデオチャネルおよびオーディオチャネルを含むとしてよいが、本発明の範囲はこれに限定されない。一部の実施形態によると、ＭＢＳサーバ１０８は、インターネットでアクセス可能であるか、または、オペレータのネットワーク内に存在するマルチキャストソースからマルチキャストコンテンツを受信するとしてよい。一部の実施形態によると、ＭＢＳサーバ１０８は、マルチキャストアナウンスチャネル上でインターネットマルチキャストアナウンスを監視するとしてよい。一部の実施形態によると、ＭＢＳサーバ１０８はネットワークオペレータから事前に設定されたＭＢＳ一覧を受け取るとしてよい。一部の実施形態によると、ＭＢＳサーバ１０８は、ディレクトリに、コンテンツ所有者、セッション時間、セッション開始／終了時間等に関する情報を含む、現在ブロードキャストされているマルチキャストセッションに関する情報をキャッシュするとしてよい。
【００２８】
一部の実施形態によると、移動局１０２は、セッション記述プロトコル（ＳＤＰ）プリミティブをアプリケーション層プロトコル（例えば、ＨＴＴＰ）の代わりとして用いて、ＭＢＳサーバ１０８との接続および通信を実現し、および／または、現在利用可能なマルチキャストセッションのディレクトリのコンテンツを閲覧するとしてよいが、本発明の範囲はこれに限定されない。このＳＤＰプリミティブは、動作２０４において使用され得る。
【００２９】
一部の実施形態によると、移動局１０２が、電源を落としたり、マルチキャストセッションを終了することを要求したり、または別のマルチキャストセッションに参加することを要求すると、移動局１０２から通知を受け取るとしてよい。このような実施形態によると、移動局１０２からの通知に応じて、他の移動局がブロードキャストコンテンツを受け取っていない場合、ＡＳＮ１０６は接続ＩＤの利用を終了させて、帯域幅を開放するとしてよい。一部の実施形態によると、メディアアクセス制御（ＭＡＣ）型のメッセージは、移動局の電源が切られる場合、または、移動局がマルチキャストセッションを終了させる場合に利用されるとしてよい。このような実施形態によると、移動局が現在コンテンツを受信しているか否かを判断するための、ＩＧＭＰで利用されるもののような、キープアライブメッセージは必要ない。このため、ＭＢＳサービスを移動局に提供するのに必要な帯域幅が大幅に小さくなり得る。
【００３０】
図３は、本発明の一部の実施形態に係る、ＡＳＮをアンカーポイントとするハンドオーバーを示す図である。このような実施形態によると、ＡＳＮをアンカーポイントとするハンドオーバーは、移動局１０２を、ＡＳＮ３０６Ａの基地局１０４Ａから、ＡＳＮ３０６Ｂの基地局１０４Ｂにハンドオーバーするべく実行され得る。ＡＳＮをアンカーポイントとするハンドオーバーが実行される前は、ハンドオーバー前データ経路３０２を用いて、ブロードキャストチャネルが移動局１０２に提供されているとしてよい。ＡＳＮをアンカーポイントとするハンドオーバーが実行された後は、ハンドオーバー後データ経路３０４を用いて、ブロードキャストチャネルが移動局１０２に提供されているとしてよい。このような実施形態によると、ＭＢＳサーバ１０８は、ＡＳＮ３０６ＡとＡＳＮ３０６Ｂとの間で実行されるハンドオーバーを認識していないとしてよい。このような実施形態のうち一部の実施形態によると、ハンドオーバー後データ経路３０４は、一時的に延長されたデータ経路３０７を含むとしてよく、延長データ経路３０７はＡＳＮ−ＧＷ３２６ＡとＡＳＮ−ＧＷ３２６Ｂとの間に構築され得る。この点については、より詳細に後述する。
【００３１】
一部の実施形態によると、移動局１０２が、第１のＡＳＮ３０６Ａ内の第１の基地局１０４Ａから、第２のＡＳＮ３０６Ｂ内の第２の基地局１０４Ｂにハンドオーバーされると、一時的に延長されたデータ経路３０７が、移動局１０２が現在受信しているブロードキャストチャネルについて、第１のＡＳＮ３０６Ａから第２のＡＳＮ３０６Ｂまで、提供されるとしてよい。一部の実施形態によると、トンネリング技術を用いて、移動局１０２が少なくとも一時的に、第２のＡＳＮ３０６Ｂ内の第２の基地局１０４Ｂからブロードキャストチャネルを受信できるようにするとしてよい。このような実施形態によると、第２の基地局１０４Ｂからのブロードキャストチャネルは第１のＡＳＮ３０６Ａ内で利用されているマルチキャストＣＩＤと同一のマルチキャストＣＩＤを利用しているが、本発明の範囲はこれに限定されない。
【００３２】
このような実施形態によると、一時的に延長されたデータ経路３０７は、第２のＡＳＮ３０６Ｂが、自身が含む基地局に対してブロードキャストチャネルを提供していない場合に、提供されるとしてよい。このような実施形態によると、第１のＡＳＮ３０６Ａおよび第２のＡＳＮ３０６Ｂは、ハンドオーバー処理において、第２のＡＳＮ３０６Ｂでブロードキャストチャネルが提供されているか否か、および、データ経路を一時的に延長するか否かを判断するべく、情報交換をするとしてよい。このような実施形態のうち一部の実施形態によると、第１のＡＳＮ３０６Ａは第２のＡＳＮ１０６Ｂに対してトンネルを構築して、ブロードキャストチャネルを含むパケットをカプセル化してセキュアに通信できるようにしてよいが、本発明の範囲はこれに限定されない。このような実施形態によると、一時的に延長されたデータ経路３０７は、ＭＢＳサーバ１０８と第２のＡＳＮ３０６Ｂとの間で直接ブロードキャストチャネル用のデータ経路が構築されるまで、提供されるとしてよい。ＭＢＳサーバ１０８と第２のＡＳＮ３０６Ｂとの間で直接データ経路を構築する点については、後述する。
【００３３】
同じＡＳＮに含まれる基地局間でのハンドオーバーの場合は、ＭＢＳサーバ１０８に通知する必要はなく、該ＡＳＮは、最初の基地局が利用していたのと同じマルチキャストＣＩＤを用いて、移動局１０２にブロードキャストチャネルを提供するように新しい基地局に対して命令してよい。該ＡＳＮが上述したようにＳＦＮとして動作している場合、移動局がある基地局から別の基地局へと移動しても、ハンドオーバーを実行する必要はない。該ＡＳＮが上述したように非ＳＦＮとして動作している場合、移動局がある基地局から別の基地局へと移動すると、基地局間でハンドオーバーを実行する。
【００３４】
一部の実施形態によると、第１のＡＳＮ−ＧＷ３２６Ａは、第２のＡＳＮ３０６Ｂが現在ブロードキャストチャネルを提供するようになると、データ経路を一時的に延長することを止めるとしてよい。このような実施形態によると、ブロードキャストチャネルは、第２のＡＳＮ３０６Ｂがブロードキャストチャネルについて現在利用しているマルチキャストＣＩＤにおいて、移動局１０２に提供されるとしてよい。このような実施形態によると、ハンドオーバー手順において、第２のＡＳＮ３０６Ｂがブロードキャストチャネルについて現在利用しているマルチキャストＣＩＤが、移動局１０２に通知されるとしてよいが、本発明の範囲はこれに限定されない。
【００３５】
図４は、本発明の一部の実施形態に係る、ＣＳＮをアンカーポイントとするハンドオーバーを示す図である。このような実施形態によると、図４に示すＣＳＮをアンカーポイントとするハンドオーバーは、図３に示しているＡＳＮをアンカーポイントとするハンドオーバーが実行された後に、第１のＡＳＮ３０６Ａと第２のＡＳＮ３０６Ｂとの間において、ＭＢＳサーバ１０８からの通信をハンドオーバーするべく実行されるとしてよい。一部の実施形態によると、図４に示すＣＳＮをアンカーポイントとするハンドオーバーは、一時的に延長されたデータ経路３０７（図３）を削除して、ブロードキャストチャネルがＭＢＳサーバ１０８からＡＳＮ３０６Ｂに直接提供されるようにするとしてよい。
【００３６】
ＣＳＮをアンカーポイントとするハンドオーバーが実行される前は、ハンドオーバー前データ経路４０２を用いて、ブロードキャストチャネルが移動局１０２に提供されるとしてよい。ＣＳＮをアンカーポイントとするハンドオーバーが実行された後は、ハンドオーバー後データ経路４０４を用いて、ブロードキャストチャネルが移動局１０２に提供されるとしてよい。このような実施形態のうち一部の実施形態によると、ハンドオーバー前データ経路４０２は、ＡＳＮ−ＧＷ３２６ＡとＡＳＮ−ＧＷ３２６Ｂとの間で構築されている、一時的に延長されているデータ経路４０７を含むとしてよい。このような実施形態によると、ハンドオーバー後データ経路３０４（図３）は、ハンドオーバー前データ経路４０２に対応し、一時的に延長されているデータ経路３０７（図３）は、一時的に延長されているデータ経路４０７に対応するとしてよい。
【００３７】
図５は、本発明の一部の実施形態に係る、ＣＳＮをアンカーポイントとするハンドオーバーの手順を示す図である。手順５００は、図４に図示されているＣＳＮをアンカーポイントとするハンドオーバーを実装するべく実行されるとしてよい。一部の実施形態によると、動作５０２において、第２のＡＳＮ３０６Ｂから第１のＡＳＮ３０６Ａへと再配置要求メッセージが送られるとしてよい。再配置要求メッセージは、動作５０１においてＣＳＮによってトリガされるとしてよいが、本発明の範囲はこれに限定されない。動作５０４において、第１のＡＳＮ３０６Ａから、再配置応答メッセージを受け取るとしてよい。再配置応答メッセージは、ブロードキャストチャネルのマルチキャストＩＰアドレスを含むとしてよく、動作５０２の再配置要求メッセージに応じて第２のＡＳＮ３０６Ｂに送られるとしてよい。
【００３８】
再配置応答メッセージに応じて、動作５０６において、第２のＡＳＮ３０６Ｂは、ＭＢＳサーバ１０８に、マルチキャストＩＰアドレスを示すＩＧＭＰ参加メッセージを送るとしてよい。これによって、第２のＡＳＮ３０６ＢはＭＢＳサーバ１０８から直接ブロードキャストチャネルを受信することができるようになり、第２のＡＳＮ３０６を介して移動局１０２にブロードキャストチャネルが提供されるとしてよい。このような実施形態によると、第２のＡＳＮ３０６Ｂは、動作５１０において、ブロードキャストチャネルを移動局に提供するべく、新しいマルチキャストＣＩＤを作成して、動作５０８Ａおよび５０８Ｂにおいて一時的に延長されているデータ経路を終了させるとしてよい。動作５０８Ａは、ＡＳＮ３０６Ａから経路登録抹消要求（ＤＲＥＧ  ＲＥＱ）メッセージを送ることを含むとしてよい。動作５０８Ｂは、ＡＳＮ３０６Ａから、一時的に延長されているデータ経路４０７（図４）の終了を確認する経路登録抹消応答（ＤＲＥＧ  ＲＳＰ）メッセージを受け取ることを含むとしてよい。
【００３９】
動作５１２Ａから５１２Ｄは、基地局１０４の帯域幅を移動局１０２に割り当てて、移動局１０２が新規のマルチキャストＣＩＤでブロードキャストチャネルを受け取ることができるようにすることを目的として、実行されるとしてよい。動作５１２Ａから５１２Ｄはそれぞれ、動作２１２Ａから２１２Ｄ（図２）と同様であってよい。
【００４０】
「処理する」、「演算する」、「算出する」、「決定する」、または「表示する」等の用語は、明確にそうでないと記載されていない限り、１以上の処理システムもしくは演算システム、または、処理システムのレジスタおよびメモリ内で物理的な量（例えば、電子的な量）として表されるデータを操作および変換して、処理システムのレジスタまたはメモリ内で物理的な量として同様に表されるほかのデータを得る同様のデバイス、またはその他の同種の情報を格納、送信、または表示するデバイスの動作および／または処理を意味するとしてよい。さらに、本明細書で言及する場合、演算デバイスは、揮発性メモリもしくは不揮発性メモリ、または、それらの組み合わせであるコンピュータ読み出し可能なメモリに結合されている１以上の処理素子を備える。
【００４１】
本発明の実施形態は、ハードウェア、ファームウェア、およびソフトウェアのいずれか、またはそれらの組み合わせにおいて実装され得る。本発明の実施形態はまた、機械可読媒体に格納されている命令として実装されるとしてよく、当該命令は、少なくとも１つのプロセッサによって読み出されて実行されて、本明細書に記載されている動作を実行するとしてよい。機械可読媒体は、機械（例えば、コンピュータ）によって読み出し可能な形式で情報を格納または送信する任意の機構を備えるとしてよい。機械可読媒体は、例えば、リードオンリーメモリ（ＲＯＭ）、ランダムアクセスメモリ（ＲＡＭ）、磁気ディスク記憶媒体、光学記憶媒体、フラッシュメモリデバイス等を含むとしてよい。
【００４２】
要約書は、読者が技術的開示内容の本質および概要を確定できるような要約書の提出を求める米国特許法施行規則セクション１．７２（ｂ）を遵守して、提供されるものである。要約書の提出にあたっては、請求項の範囲または意味を限定または解釈するのに要約書は用いられないと理解している。本願の請求項は、ここにおいて、発明の詳細な説明に組み込まれ、各請求項はそれぞれが別個の実施形態として成立する。
【図１】
0004837104.tif 000002
【図２】
0004837104.tif 000003
【図３】
0004837104.tif 000004
【図４】
0004837104.tif 000005
【図５】
0004837104.tif 000006